(57)【要約】【課題】消費電力を低減しながら結露を防止することができる冷蔵庫を提供する。【解決手段】冷蔵庫１では、筐体３の前面側に、結露を防止するためのキャビネットパイプ２５とヒータ３１とが配置されている。キャビネットパイプ２５は、製氷室７、切替え室９、冷凍室１１および野菜室１３を取り囲む態様で、筐体３における取り出し口側の部分に配置されている。ヒータ３１として、ヒータ３１ａ、３１、３１ｃが配置されている。ヒータ３１ａは、製氷室７および切替え室９と冷凍室１１との間に配置されている。ヒータ３１ｂは、冷凍室１１と野菜室１３との間に配置されている。ヒータ３１ｃは、製氷室７と切替え室９との間に配置されている。【選択図】図３
2017078538.tif 000002
【特許請求の範囲】
【請求項１】
それぞれ出し入れ口を有する複数の貯蔵室を収容する筐体と、
前記筐体内に配置され、圧縮機、凝縮器、キャビネットパイプおよび冷却器を含み、冷媒が循環する冷凍サイクルと、
前記筐体に配置されたヒータと、
前記冷凍サイクルの動作と前記ヒータへの通電を制御する制御部と
を備え、
前記キャビネットパイプは、前記筐体における、複数の前記貯蔵室のうち少なくとも一部の貯蔵室の前記出し入れ口側に配置され、
前記ヒータは、前記筐体における前記出し入れ口側に配置された、冷蔵庫。
【請求項２】
複数の前記貯蔵室は、
第１温度に設定される第１貯蔵室と、
前記第１温度よりも低い第２温度に設定される第２貯蔵室と
を含み、
前記ヒータは、
前記筐体における、前記第１貯蔵室の前記出し入れ口側に配置された第１ヒータと、
前記筐体における、前記第２貯蔵室の前記出し入れ口側に配置された第２ヒータと
を含み、
前記制御部による前記第１ヒータへ通電の制御と、前記第２ヒータへの通電の制御とは異なる、請求項１記載の冷蔵庫。
【請求項３】
前記第１貯蔵室は前記第２貯蔵室の下方に配置され、
前記第１ヒータは、前記第２貯蔵室の前記出し入れ口側の上部に配置され、
前記第２ヒータは、前記第２貯蔵室の前記出し入れ口側の下部の、第２貯蔵室と前記第１貯蔵室との間に配置された、請求項２記載の冷蔵庫。
【請求項４】
前記制御部は、第２ヒータへの単位時間当たりの通電時間を、第１ヒータへの単位時間当たりの通電時間よりも長くする、請求項３記載の冷蔵庫。
【請求項５】
前記制御部は、前記圧縮機への通電が行われている間に前記ヒータへの通電を行う、請求項１記載の冷蔵庫。
【請求項６】
前記キャビネットパイプは、複数の前記貯蔵室のうち、前記一部の貯蔵室以外の貯蔵室を収容する前記筐体の部分を除く態様で、前記一部の貯蔵室を収容する前記筐体の部分に配置された、請求項１記載の冷蔵庫。
【請求項７】
前記キャビネットパイプは、前記一部の貯蔵室を取り囲む態様で、前記筐体の部分に配置された、請求項６記載の冷蔵庫。
【発明の詳細な説明】
【技術分野】
【０００１】
本発明は冷蔵庫に関し、特に、貯蔵室の出し入れ口周辺の結露を防止する機能を備えた冷蔵庫に関するものである。
【背景技術】
【０００２】
冷蔵庫では、冷凍サイクルを利用して、冷蔵庫の複数の貯蔵室内の温度がそれぞれ所定の温度に冷却される。冷凍サイクルは、圧縮機、凝縮器等、キャビネットパイプ、キャピラリーチューブおよび冷却器等を配管によって互いに接続した冷媒回路によって構成される。
【０００３】
配管内の冷媒は、まず、圧縮機によって圧縮されて、高温・高圧の冷媒になる。高温・高圧となった冷媒は、凝縮器等を経てキャビネットパイプを流れる。冷媒が流れる間に、冷媒の熱が放熱される。放熱された冷媒は、キャピラリーチューブに流れ込み、減圧されて低温・低圧の冷媒となる。低温・低圧となった冷媒は冷却器へ流れ込み、流れ込んだ冷媒と冷蔵庫の貯蔵室内の空気とで熱交換が行われる。熱交換が行われた冷媒は、圧縮機へ流れ込み再び圧縮される。以下、そのサイクルが繰り返されることで、冷蔵庫内の温度が所望の温度に保たれる。
【０００４】
冷蔵庫の貯蔵室として、たとえば、冷蔵室、製氷室、切替え室、冷凍室および野菜室がある。冷蔵室は、庫内に収容された物が凍らない程度の温度に設定される貯蔵室である。製氷室は、庫内の製氷機によって製造された氷を保存する貯蔵室である。切替え室は、用途に応じて温度帯を切り換えることができる貯蔵室である。冷凍室は、庫内に収容された物を凍らせる冷凍温度に設定される貯蔵室である。野菜室は、主に野菜を収容する貯蔵室である。
【０００５】
冷蔵庫の前面側には、冷蔵室の観音開き式の扉が設けられている。また、製氷室、切替え室、冷凍室および野菜室のそれぞれの引き出し式の扉（出し入れ口）が設けられている。冷媒回路のキャビネットパイプは、冷蔵庫の前面側に配置されている。キャビネットパイプを流れる冷媒が放熱されることで、各貯蔵室の出し入れ口付近の結露が防止されることになる。このような冷蔵庫を開示した特許文献の例として、特許文献１および特許文献２がある。
【先行技術文献】
【特許文献】
【０００６】
【特許文献１】特開２０１３−０４４４３８号公報
【特許文献２】特開２００４−０８５１０２号公報
【発明の概要】
【発明が解決しようとする課題】
【０００７】
冷蔵庫では、貯蔵室によって、貯蔵室内の温度が異なる。キャビネットパイプは、筐体における、貯蔵室の出し入れ口の近傍に配置されるため、冷媒の熱が貯蔵室内に伝わると、消費電力を上げてしまう要因となる。特に、温度が低い冷凍庫等では、その出し入れ口付近に配置されるキャビネットパイプから放熱される熱によって冷凍庫等内の温度が上昇しないように、所望の温度に保持するためには、余分な電力が消費されることになる。
【０００８】
本発明は上記問題点を解決するためになされたものであり、その目的は、消費電力を低減しながら結露を防止することができる冷蔵庫を提供することである。
【課題を解決するための手段】
【０００９】
本発明に係る冷蔵庫は、筐体と冷凍サイクルとヒータと制御部とを備えている。筐体は、それぞれ出し入れ口を有する複数の貯蔵室を収容する。冷凍サイクルは、筐体内に配置され、圧縮機、凝縮器、キャビネットパイプおよび冷却器を含み、冷媒が循環する。ヒータは、筐体に配置されている。制御部は、冷凍サイクルの動作とヒータへの通電を制御する。キャビネットパイプは、筐体における、複数の貯蔵室のうち少なくとも一部の貯蔵室の出し入れ口側に配置されている。ヒータは、筐体における出し入れ口側に配置されている。
【発明の効果】
【００１０】
本発明に係る冷蔵庫によれば、筐体における、複数の貯蔵室のうち少なくとも一部の貯蔵室の出し入れ口側に、キャビネットパイプとヒータとが配置されている。これにより、消費電力を低減しながら、貯蔵室の出し入れ口周辺の結露を防止することができる。
【図面の簡単な説明】
【００１１】
【図１】実施の形態に係る冷蔵庫の斜視図である。
【図２】同実施の形態において、冷蔵庫内に配置された冷媒回路の一例を示す図である。
【図３】同実施の形態において、冷蔵庫における、キャビネットパイプとヒータの配置の一例を示す斜視図である。
【図４】冷媒回路、ヒータおよび制御部を示すブロック図である。
【図５】比較例に係る冷蔵庫における、キャビネットパイプの配置を示す正面図である。
【図６】同実施の形態において、ヒータの通電態様の一例を示すグラフである。
【図７】同実施の形態において、圧縮機とヒータの通電態様の一例を示すグラフである。
【図８】同実施の形態において、貯蔵室の設定温度が低い場合のヒータの通電態様の一例を示すグラフである。
【図９】同実施の形態において、貯蔵室の設定温度が低い場合のヒータの通電態様の一例を示すグラフである。
【図１０】同実施の形態において、変形例に係る冷蔵庫における、キャビネットパイプとヒータの配置の一例を示す斜視図である。
【発明を実施するための形態】
【００１２】
実施の形態に係る、キャビネットパイプを備えた冷蔵庫の一例について説明する。図１に示すように、冷蔵庫１では、筐体３内に、貯蔵室として、たとえば、冷蔵室５、製氷室７、切替え室９、冷凍室１１および野菜室１３が収容されている。冷蔵室５は筐体３内の上部に配置され、野菜室１３は筐体３内の下部に配置されている。冷蔵室５と野菜室１３との間に、製氷室７、切替え室９および冷凍室１１が配置されている。
【００１３】
冷蔵室５は、庫内に収容された物が凍らない程度の温度に設定される貯蔵室であり、温度は、たとえば、５℃程度に設定される。製氷室７は、庫内の製氷機によって製造された氷を保存する貯蔵室であり、温度は、たとえば、−１８℃程度に設定される。切替え室９は、用途に応じて温度帯を切り換えることができる貯蔵室であり、たとえば、０℃程度または−７℃程度の温度に切り替え可能とされる。
【００１４】
冷凍室１１は、庫内に収容された物を凍らせる冷凍温度に設定される貯蔵室であり、温度は、たとえば、−１８℃程度に設定される。野菜室１３は、主に野菜を収容する貯蔵室であり、温度は、たとえば、１０℃程度に設定される。なお、貯蔵室の配置関係および設定温度は、一例であって、これらに限られるものではない。
【００１５】
筐体３の前面側には、冷蔵室５、製氷室７、切替え室９、冷凍室１１および野菜室１３のそれぞれの扉６、８、１０、１２、１４が設けられている。後述するように、その筐体３の前面側には、結露を防止するためのキャビネットパイプ２５とヒータ３１とが配置されている（図３参照）。
【００１６】
次に、冷蔵庫１内に設けられている冷凍サイクル（冷媒回路）について説明する。図２に示すように、冷蔵庫１には、主として、圧縮機２１と凝縮器２３とキャビネットパイプ２５とキャピラリーチューブ２７と冷却器２９（蒸発器）とを配管によって接続した冷媒回路２０が設けられている。
【００１７】
圧縮機２１は、冷媒を圧縮して高温・高圧の冷媒にする。凝縮器２３は、高温・高圧となった冷媒を放熱させる。この明細書でいう凝縮器２３とは、筐体３の下部の機械室に配置される凝縮器（図示せず）と、筐体３の背面側に配置される凝縮パイプ（図示せず）とを含む。キャビネットパイプ２５は、冷蔵庫１の前面側に配置されて、貯蔵室の扉（出し入れ口）付近に露が付着するのを防止する。キャビネットパイプ２５の一端側（上流側）は、凝縮器２３に繋がっている。
【００１８】
キャピラリーチューブ２７は、冷媒を減圧する。キャピラリーチューブ２７の一端側（上流側）はキャビネットパイプ２５の他端側（下流側）に繋がっている。冷却器２９は、冷蔵庫１の貯蔵室内の空気と冷媒との間で熱交換を行うことによって、貯蔵室内を冷却する。冷却器２９の一端側（上流側）は、キャピラリーチューブ２７の他端側（下流側）に繋がっている。冷却器２９の他端側（下流側）は、圧縮機２１に繋がっている。冷蔵庫１の冷媒回路２０は、上記のように構成される。
【００１９】
次に、結露を防止するためのキャビネットパイプ２５とヒータ３１の配置構造について説明する。
【００２０】
図３に示すように、キャビネットパイプ２５およびヒータ３１は、筐体３の前面側（取り出し口側）に配置されている。キャビネットパイプ２５は、製氷室７、切替え室９、冷凍室１１および野菜室１３を取り囲む態様で、筐体３における取り出し口側の部分に配置されている。なお、キャビネットパイプ２５は、筐体３における取り出し口側の部分のうち、冷蔵室５の両側方（紙面に向かって右側方と左側方）に位置する部分と、冷蔵室５の上方に位置する部分とには、配置されていない。
【００２１】
キャビネットパイプ２５の入口２５ａは、凝縮器２３（図２参照）に接続され、出口２５ｂはキャピラリーチューブ２７（図２参照）に接続されている。冷媒は、キャビネットパイプ２５内を、紙面に向かって右回りに流れることになる。
【００２２】
ヒータ３１として、たとえば、ヒータ３１ａ、ヒータ３１ｂおよびヒータ３１ｃが配置されている。ヒータ３１ａは、製氷室７および切替え室９と冷凍室１１との間に位置する筐体３の取り出し口側の部分に配置されている。ヒータ３１ｂは、冷凍室１１と野菜室１３との間に位置する筐体３の取り出し口側の部分に配置されている。ヒータ３１ｃは、製氷室７と切替え室９との間に位置する筐体３の取り出し口側の部分に配置されている。
【００２３】
図４に示すように、冷媒回路２０による一連の冷却動作と、ヒータ３１のオンオフ動作は、制御部４１によって制御される。制御部４１は、制御基板として、たとえば、筐体３の上部に配置されている。実施の形態に係る冷蔵庫１は、上記のように構成される。
【００２４】
上述した冷蔵庫１では、キャビネットパイプ２５とヒータ３１とによって、消費電力を抑えながら、貯蔵室の出し入れ口付近の結露を防止することができる。これについて、比較例に係る冷蔵庫と比べて説明する。
【００２５】
図５に示すように、比較例に係る冷蔵庫１０１では、筐体１０３内に、貯蔵室として、冷蔵室１０５、製氷室１０７、切替え室１０９、冷凍室１１１および野菜室１１３が収容されている。筐体１０３の前面側には、冷蔵室１０５、製氷室１０７、切替え室１０９、冷凍室１１１および野菜室１１３のそれぞれの出し入れ口を、一筆書き態様で取り囲むように、キャビネットパイプ１２５が配置されている。キャビネットパイプ１２５の入口１２５ａは蒸発器（図示せず）に接続され、出口１２５ｂはキャピラリーチューブ（図示せず）に接続されている。
【００２６】
比較例に係る冷蔵庫１０１では、凝縮器を経て入口１２５ａからキャビネットパイプ１２５に送り込まれた冷媒は、キャビネットパイプ１２５内を、野菜室１１３、冷凍室１１１、製氷室１０７等、冷蔵室１０５、切替え室１０９、冷凍室１１、野菜室１１３のそれぞれの出し入れ口の近傍を順次流れて、出口１２４ｂに達する。冷媒が流れる間に、冷媒の熱が放熱されて、その熱によって各貯蔵室の出し入れ口周辺の結露が防止される。
【００２７】
しかしながら、貯蔵室によって、貯蔵室内の温度が異なる。特に、冷凍室１１１および製氷室１０７等の温度が低い貯蔵室では、出し入れ口付近に配置されるキャビネットパイプ１２５から放熱される熱によって、冷凍室１１１および製氷室１０７等内の温度が上昇するおそれがある。このため、温度が比較的低い貯蔵室内の温度を所望の温度に保持しようとすると、余分な電力が消費されて、消費電力が増えてしまうことになる。
【００２８】
比較例に係る冷蔵庫に対して、実施の形態に係る冷蔵庫では、貯蔵室の出し入れ口の結露を防止するために、キャビネットパイプ２５とヒータ３１（３１ａ、３１ｂ、３１ｃ）とが配置されている。キャビネットパイプ２５は、製氷室７、切替え室９、冷凍室１１および野菜室１３を取り囲む態様で、筐体３の前面側の部分に配置されている。
【００２９】
ヒータ３１ａ、３１ｂ、３１ｃは、いずれも、筐体３の前面側の、比較的温度が低い製氷室７および冷凍室１１等の出し入れ口の近傍に配置されている。ヒータ３１ａは、製氷室７および切替え室９と冷凍室１１との間に配置されている。ヒータ３１ｂは、冷凍室１１と野菜室１３との間に配置されている。ヒータ３１ｃは、製氷室７と切替え室９との間に配置されている。
【００３０】
これにより、貯蔵室の設定温度に応じて、ヒータ３１に対して結露を防止するための所望量の熱を与えることができる。その結果、キャビネットパイプ１２５によって一律に放熱された熱によって結露を防止する場合と比べて、消費電力の低減を図りながら出し入れ口周辺の結露を防止することができる。
【００３１】
これについて具体的に説明する。たとえば、ヒータ３１ａでは、ヒータ３１ａの上方と下方とに、設定温度が比較的低い製氷室３１等の出し入れ口と冷凍室１１の出し入れ口が位置している。一方、ヒータ３１ｂでは、ヒータ３１ｂの上方に、設定温度が相対的に低い冷凍室１１の出し入れ口が位置し、ヒータ３１ｂの下方に、設定温度が相対的に高い野菜室１３の出し入れ口が位置している。
【００３２】
そこで、図６に示すように、所定の時間内にヒータ３１ａに通電させる時間をヒータ３１ｂに通電させる時間よりも長く設定する。これにより、筐体３の前面側の、製氷室３１等の出し入れ口と冷凍室１１の出し入れ口との間に、効率的に熱を発生させることができ、消費電力を抑えながらこの部分に結露が生じるのを抑制することができる。
【００３３】
また、冷蔵庫１が冷却運転されている状態では、キャビネットパイプ２５も冷えることになる。このため、制御部４１によって、図７に示すように、圧縮機が動作している間では、ヒータ３１に通電させるようにしてもよい。これにより、消費電力を抑えながら貯蔵室の出し入れ口の近傍に結露が生じるのを効率的に抑制することができる。
【００３４】
また、貯蔵室の出し入れ口では、貯蔵室の設定温度が低いほど結露が生じやすくなる。このため、ヒータ３１の配置位置によって、ヒータ３１に通電する時間を制御部４１によって制御させるようにしてもよい。たとえば、ヒータ３１ａおよびヒータ３１ｃのように、設定温度が相対的に低い貯蔵室の出し入れ口の近傍に配置されるヒータ３１については、図８に示すように、単位時間当たり（所定の時間内）に通電する時間を相対的に長く設定することで、消費電力を抑えながら効率的に結露を防止することができる。
【００３５】
一方、ヒータ３１ｂのように、設定温度が相対的に低い貯蔵室の出し入れ口の近傍に配置されるヒータ３１については、図９に示すように、単位時間当たり（所定の時間内）に通電する時間を相対的に短く設定することで、消費電力を抑えながら効率的に結露を防止することができる。
【００３６】
（変形例）
上述した冷蔵庫１では、キャビネットパイプ２５を、野菜室１３の出し入れ口の下方に配置した場合を例に挙げて説明した。野菜室１３の設定温度は比較的高く、野菜室１３の下方には、他の貯蔵室は配置されていない。このため、図１０に示すように、キャビネットパイプ２５を必ずしも配置する必要はない。
【００３７】
なお、各実施の形態では、結露を防止するために、キャビネットパイプ２５とヒータ３１とが配置される場合を例に挙げて説明したが、キャビネットパイプを配置させることなく、すべてヒータを配置させるようにしてもよい。その場合には、ヒータのオンオフ動作を制御することで、さらに効率的に結露を防止することができる。
【００３８】
今回開示された実施の形態は例示であってこれに制限されるものではない。本発明は上記で説明した範囲ではなく、特許請求の範囲によって示され、特許請求の範囲と均等の意味および範囲でのすべての変更が含まれることが意図される。
【産業上の利用可能性】
【００３９】
本発明は、貯蔵室の出し入れ口周辺の結露を防止する機能を備えた冷蔵庫に有効に利用される。
【符号の説明】
【００４０】
１  冷蔵庫、３  筐体、５  冷蔵室、６  扉、７  製氷室、８  扉、９  切替え室、１０  扉、１１  冷凍室、１２  扉、１３  野菜室、１４  扉、２０  冷凍回路、２１  圧縮機、２３  凝縮器、２５  キャビネットパイプ、２５ａ  入口、２５ｂ  出口、２７  キャピラリチューブ、２９  冷却器、３１  ヒータ、４１  制御部、１０１  冷蔵庫、１０３  筐体、１０５  冷蔵室、１０７  製氷室、１０９  切替え室、１１１  冷凍室、１１３  野菜室、１２５  キャビネットパイプ、１２５ａ  入口、１２５ｂ  出口。 
【図１】
2017078538.tif 000003
【図２】
2017078538.tif 000004
【図３】
2017078538.tif 000005
【図４】
2017078538.tif 000006
【図５】
2017078538.tif 000007
【図６】
2017078538.tif 000008
【図７】
2017078538.tif 000009
【図８】
2017078538.tif 000010
【図９】
2017078538.tif 000011
【図１０】
2017078538.tif 000012
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
それぞれ出し入れ口を有する複数の貯蔵室を収容する筐体と、
前記筐体内に配置され、圧縮機、凝縮器、キャビネットパイプおよび冷却器を含み、冷媒が循環する冷凍サイクルと、
前記筐体に配置されたヒータと、
前記冷凍サイクルの動作と前記ヒータへの通電を制御する制御部と
を備え、
前記キャビネットパイプは、前記筐体における、複数の前記貯蔵室のうち少なくとも一部の貯蔵室の前記出し入れ口側に配置され、
前記キャビネットパイプは、複数の前記貯蔵室のうち、前記一部の貯蔵室以外の貯蔵室を収容する前記筐体の部分を除く態様で、前記一部の貯蔵室の全体に対して、前記一部の貯蔵室を収容する前記筐体の部分における上部と両側部とに配置され、
前記ヒータは、前記一部の貯蔵室を収容する前記筐体の部分における前記出し入れ口側に配置された、冷蔵庫。
【請求項２】
複数の前記貯蔵室は、
第１温度に設定される第１貯蔵室と、
前記第１温度よりも低い第２温度に設定される第２貯蔵室と
を含み、
前記ヒータは、
前記筐体における、前記第１貯蔵室の前記出し入れ口側に配置された第１ヒータと、
前記筐体における、前記第２貯蔵室の前記出し入れ口側に配置された第２ヒータと
を含み、
前記制御部による前記第１ヒータへ通電の制御と、前記第２ヒータへの通電の制御とは異なる、請求項１記載の冷蔵庫。
【請求項３】
前記第１貯蔵室は前記第２貯蔵室の下方に配置され、
前記第２ヒータは、前記第２貯蔵室の前記出し入れ口側の上部に配置され、
前記第１ヒータは、前記第２貯蔵室の前記出し入れ口側の下部の、前記第２貯蔵室と前記第１貯蔵室との間に配置された、請求項２記載の冷蔵庫。
【請求項４】
前記制御部は、前記第２ヒータへの単位時間当たりの通電時間を、前記第１ヒータへの単位時間当たりの通電時間よりも長くする、請求項３記載の冷蔵庫。
【請求項５】
前記制御部は、前記圧縮機への通電が行われている間に前記ヒータへの通電を行う、請求項１記載の冷蔵庫。
【手続補正２】
【補正対象書類名】明細書
【補正対象項目名】０００９
【補正方法】変更
【補正の内容】
【０００９】
本発明に係る冷蔵庫は、筐体と冷凍サイクルとヒータと制御部とを備えている。筐体は、それぞれ出し入れ口を有する複数の貯蔵室を収容する。冷凍サイクルは、筐体内に配置され、圧縮機、凝縮器、キャビネットパイプおよび冷却器を含み、冷媒が循環する。ヒータは、筐体に配置されている。制御部は、冷凍サイクルの動作とヒータへの通電を制御する。キャビネットパイプは、筐体における、複数の貯蔵室のうち少なくとも一部の貯蔵室の出し入れ口側に配置されている。ヒータは、筐体における出し入れ口側に配置されている。キャビネットパイプは、複数の貯蔵室のうち、一部の貯蔵室以外の貯蔵室を収容する筐体の部分を除く態様で、一部の貯蔵室の全体に対して、一部の貯蔵室を収容する筐体の部分における上部と両側部とに配置されている。ヒータは、一部の貯蔵室を収容する筐体の部分における出し入れ口側に配置されている。
【手続補正３】
【補正対象書類名】明細書
【補正対象項目名】００１０
【補正方法】変更
【補正の内容】
【００１０】
本発明に係る冷蔵庫によれば、筐体における、複数の貯蔵室のうち少なくとも一部の貯蔵室の出し入れ口側に、キャビネットパイプとヒータとが配置されている。すなわち、キャビネットパイプは、複数の貯蔵室のうち、一部の貯蔵室以外の貯蔵室を収容する筐体の部分を除く態様で、一部の貯蔵室の全体に対して、一部の貯蔵室を収容する筐体の部分における上部と両側部とに配置されている。ヒータは、一部の貯蔵室を収容する筐体の部分における出し入れ口側に配置されている。これにより、消費電力を低減しながら、貯蔵室の出し入れ口周辺の結露を防止することができる。
【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
それぞれ出し入れ口を有する複数の貯蔵室を収容する筐体と、
前記筐体内に配置され、圧縮機、凝縮器、キャビネットパイプおよび冷却器を含み、冷媒が循環する冷凍サイクルと、
前記筐体に配置されたヒータと、
前記冷凍サイクルの動作と前記ヒータへの通電を制御する制御部と
を備え、
前記キャビネットパイプは、前記筐体における、複数の前記貯蔵室のうち少なくとも一部の貯蔵室の前記出し入れ口側に配置され、
前記キャビネットパイプは、複数の前記貯蔵室のうち、前記一部の貯蔵室以外の貯蔵室を収容する前記筐体の部分における前記出し入れ口側の部分を除くとともに、側面側の部分を除く態様で、前記一部の貯蔵室の全体に対して、前記一部の貯蔵室を収容する前記筐体の部分における上部と両側部とに配置され、
前記ヒータは、前記一部の貯蔵室を収容する前記筐体の部分における前記出し入れ口側に配置された、冷蔵庫。
【請求項２】
それぞれ出し入れ口を有する複数の貯蔵室を収容する筐体と、
前記筐体内に配置され、圧縮機、凝縮器、キャビネットパイプおよび冷却器を含み、冷媒が循環する冷凍サイクルと、
前記筐体に配置されたヒータと、
前記冷凍サイクルの動作と前記ヒータへの通電を制御する制御部と
を備え、
前記キャビネットパイプは、前記筐体における、複数の前記貯蔵室のうち少なくとも一部の貯蔵室の前記出し入れ口側に配置され、
前記キャビネットパイプは、複数の前記貯蔵室のうち、前記一部の貯蔵室以外の貯蔵室を収容する前記筐体の部分を除く態様で、前記一部の貯蔵室の全体に対して、前記一部の貯蔵室を収容する前記筐体の部分における上部と両側部とに配置されて、前記両側部の間に位置する前記筐体の部分には配置されず、
前記ヒータは、前記一部の貯蔵室を収容する前記筐体の前記両側部の間に位置する部分における前記出し入れ口側に配置された、冷蔵庫。
【請求項３】
複数の前記貯蔵室は、
第１温度に設定される第１貯蔵室と、
前記第１温度よりも低い第２温度に設定される第２貯蔵室と
を含み、
前記ヒータは、
前記筐体における、前記第１貯蔵室の前記出し入れ口側に配置された第１ヒータと、
前記筐体における、前記第２貯蔵室の前記出し入れ口側に配置された第２ヒータと
を含み、
前記制御部による前記第１ヒータへ通電の制御と、前記第２ヒータへの通電の制御とは異なる、請求項１または２に記載の冷蔵庫。
【請求項４】
前記第１貯蔵室は前記第２貯蔵室の下方に配置され、
前記第２ヒータは、前記第２貯蔵室の前記出し入れ口側の上部に配置され、
前記第１ヒータは、前記第２貯蔵室の前記出し入れ口側の下部の、前記第２貯蔵室と前記第１貯蔵室との間に配置された、請求項３記載の冷蔵庫。
【請求項５】
前記制御部は、前記第２ヒータへの単位時間当たりの通電時間を、前記第１ヒータへの単位時間当たりの通電時間よりも長くする、請求項４記載の冷蔵庫。
【請求項６】
前記制御部は、前記圧縮機への通電が行われている間に前記ヒータへの通電を行う、請求項１または２に記載の冷蔵庫。
【手続補正２】
【補正対象書類名】明細書
【補正対象項目名】０００９
【補正方法】変更
【補正の内容】
【０００９】
本発明に係る冷蔵庫は、筐体と冷凍サイクルとヒータと制御部とを備えている。筐体は、それぞれ出し入れ口を有する複数の貯蔵室を収容する。冷凍サイクルは、筐体内に配置され、圧縮機、凝縮器、キャビネットパイプおよび冷却器を含み、冷媒が循環する。ヒータは、筐体に配置されている。制御部は、冷凍サイクルの動作とヒータへの通電を制御する。キャビネットパイプは、筐体における、複数の貯蔵室のうち少なくとも一部の貯蔵室の出し入れ口側に配置されている。ヒータは、筐体における出し入れ口側に配置されている。キャビネットパイプは、複数の貯蔵室のうち、一部の貯蔵室以外の貯蔵室を収容する筐体の部分における出し入れ口側の部分を除くとともに、側面側の部分を除く態様で、一部の貯蔵室の全体に対して、一部の貯蔵室を収容する筐体の部分における上部と両側部とに配置されている。ヒータは、一部の貯蔵室を収容する筐体の部分における出し入れ口側に配置されている。
本発明に係るらの冷蔵庫は、筐体と冷凍サイクルとヒータと制御部とを備えている。筐体は、それぞれ出し入れ口を有する複数の貯蔵室を収容する。冷凍サイクルは、筐体内に配置され、圧縮機、凝縮器、キャビネットパイプおよび冷却器を含み、冷媒が循環する。ヒータは、筐体に配置されている。制御部は、冷凍サイクルの動作とヒータへの通電を制御する。キャビネットパイプは、筐体における、複数の貯蔵室のうち少なくとも一部の貯蔵室の出し入れ口側に配置されている。キャビネットパイプは、複数の貯蔵室のうち、一部の貯蔵室以外の貯蔵室を収容する筐体の部分を除く態様で、一部の貯蔵室の全体に対して、一部の貯蔵室を収容する筐体の部分における上部と両側部とに配置されて、両側部の間に位置する筐体の部分には配置されない。ヒータは、一部の貯蔵室を収容する筐体の両側部の間に位置する部分における出し入れ口側に配置されている。
【手続補正３】
【補正対象書類名】明細書
【補正対象項目名】００１０
【補正方法】変更
【補正の内容】
【００１０】
本発明に係る冷蔵庫によれば、筐体における、複数の貯蔵室のうち少なくとも一部の貯蔵室の出し入れ口側に、キャビネットパイプとヒータとが配置されている。すなわち、キャビネットパイプは、複数の貯蔵室のうち、一部の貯蔵室以外の貯蔵室を収容する筐体の部分における出し入れ口側の部分を除くとともに、側面側の部分を除く態様で、一部の貯蔵室の全体に対して、一部の貯蔵室を収容する筐体の部分における上部と両側部とに配置されている。ヒータは、一部の貯蔵室を収容する筐体の部分における出し入れ口側に配置されている。これにより、消費電力を低減しながら、貯蔵室の出し入れ口周辺の結露を防止することができる。
本発明に係る他の冷蔵庫によれば、筐体における、複数の貯蔵室のうち少なくとも一部の貯蔵室の出し入れ口側に、キャビネットパイプとヒータとが配置されている。すなわち、キャビネットパイプは、複数の貯蔵室のうち、一部の貯蔵室以外の貯蔵室を収容する筐体の部分を除く態様で、一部の貯蔵室の全体に対して、一部の貯蔵室を収容する筐体の部分における上部と両側部とに配置されて、両側部の間に位置する筐体の部分には配置されない。ヒータは、一部の貯蔵室を収容する筐体の両側部の間に位置する部分における出し入れ口側に配置されている。これにより、消費電力を低減しながら、貯蔵室の出し入れ口周辺の結露を防止することができる。
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
それぞれ出し入れ口を有する複数の貯蔵室を収容する筐体と、
前記筐体内に配置され、圧縮機、凝縮器、キャビネットパイプおよび冷却器を含み、冷媒が循環する冷凍サイクルと、
前記筐体に配置されたヒータと、
前記冷凍サイクルの動作と前記ヒータへの通電を制御する制御部と
を備え、
前記キャビネットパイプは、前記筐体における、複数の前記貯蔵室のうち少なくとも一部の貯蔵室の前記出し入れ口側に配置され、
前記キャビネットパイプは、複数の前記貯蔵室のうち、前記一部の貯蔵室以外の貯蔵室を収容する前記筐体の部分における前記出し入れ口側の部分を除くとともに、側面側の部分を除く態様で、前記一部の貯蔵室の全体に対して、前記一部の貯蔵室を収容する前記筐体の部分における上部と両側部とに配置され、
前記ヒータは、前記一部の貯蔵室を収容する前記筐体の部分における前記出し入れ口側に配置された、冷蔵庫。
【請求項２】
複数の前記貯蔵室は、
第１温度に設定される第１貯蔵室と、
前記第１温度よりも低い第２温度に設定される第２貯蔵室と
を含み、
前記ヒータは、
前記筐体における、前記第１貯蔵室の前記出し入れ口側に配置された第１ヒータと、
前記筐体における、前記第２貯蔵室の前記出し入れ口側に配置された第２ヒータと
を含み、
前記制御部による前記第１ヒータへ通電の制御と、前記第２ヒータへの通電の制御とは異なる、請求項１記載の冷蔵庫。
【請求項３】
前記第１貯蔵室は前記第２貯蔵室の下方に配置され、
前記第２ヒータは、前記第２貯蔵室の前記出し入れ口側の上部に配置され、
前記第１ヒータは、前記第２貯蔵室の前記出し入れ口側の下部の、前記第２貯蔵室と前記第１貯蔵室との間に配置された、請求項２記載の冷蔵庫。
【請求項４】
前記制御部は、前記第２ヒータへの単位時間当たりの通電時間を、前記第１ヒータへの単位時間当たりの通電時間よりも長くする、請求項３記載の冷蔵庫。
【請求項５】
前記制御部は、前記圧縮機への通電が行われている間に前記ヒータへの通電を行う、請求項１記載の冷蔵庫。
【手続補正２】
【補正対象書類名】明細書
【補正対象項目名】０００９
【補正方法】変更
【補正の内容】
【０００９】
本発明に係る冷蔵庫は、筐体と冷凍サイクルとヒータと制御部とを備えている。筐体は、それぞれ出し入れ口を有する複数の貯蔵室を収容する。冷凍サイクルは、筐体内に配置され、圧縮機、凝縮器、キャビネットパイプおよび冷却器を含み、冷媒が循環する。ヒータは、筐体に配置されている。制御部は、冷凍サイクルの動作とヒータへの通電を制御する。キャビネットパイプは、筐体における、複数の貯蔵室のうち少なくとも一部の貯蔵室の出し入れ口側に配置されている。ヒータは、筐体における出し入れ口側に配置されている。キャビネットパイプは、複数の貯蔵室のうち、一部の貯蔵室以外の貯蔵室を収容する筐体の部分における出し入れ口側の部分を除くとともに、側面側の部分を除く態様で、一部の貯蔵室の全体に対して、一部の貯蔵室を収容する筐体の部分における上部と両側部とに配置されている。ヒータは、一部の貯蔵室を収容する筐体の部分における出し入れ口側に配置されている。
【手続補正３】
【補正対象書類名】明細書
【補正対象項目名】００１０
【補正方法】変更
【補正の内容】
【００１０】
本発明に係る冷蔵庫によれば、筐体における、複数の貯蔵室のうち少なくとも一部の貯蔵室の出し入れ口側に、キャビネットパイプとヒータとが配置されている。すなわち、キャビネットパイプは、複数の貯蔵室のうち、一部の貯蔵室以外の貯蔵室を収容する筐体の部分における出し入れ口側の部分を除くとともに、側面側の部分を除く態様で、一部の貯蔵室の全体に対して、一部の貯蔵室を収容する筐体の部分における上部と両側部とに配置されている。ヒータは、一部の貯蔵室を収容する筐体の部分における出し入れ口側に配置されている。これにより、消費電力を低減しながら、貯蔵室の出し入れ口周辺の結露を防止することができる。